(57)【要約】【課題】間隔規制部材のラック側板への架設作業を容易にしつつその架設状態を安定して維持することが可能な自動販売機の商品収納ラックを提供する。【解決手段】ラック側板２の取付け穴２１は、孔部２２とこの孔部２２の中心に向けて突出する係合突起部２４を備え、間隔規制部材１の端部に、前記ラック側板２の取付け穴２１への圧入により係合突起部２４をラック側板２の外側に向けて撓ませつつ貫通すると共にその周壁に前記係合突起部２４の先端を受容して当該係合突起部２４を撓んだ状態で係止する環状溝１３を有する係止固定部１２を設け、間隔規制部材１の係止固定部１２を取付け穴２１に圧入して貫通させるのみで環状溝１３に係止されてラック側板２の外側に向けて撓んだ状態の係合突起部２４により間隔規制部材１の安定した架設状態を得る。【選択図】図５
2018142257.tif 000002
【特許請求の範囲】
【請求項１】
本体キャビネットの商品収納庫内に配設され、左右一対のラック側板に形成した取付け穴に挿通して架設される棒状の間隔規制部材により前記左右一対のラック側板の間隔を一定に保つように構成された自動販売機の商品収納ラックにおいて、前記左右一対のラック側板の取付け穴は、開口して形成された孔部および当該孔部の中心に向けて突出する係合突起部を備えてなり、前記間隔規制部材の端部には、前記ラック側板の内側から取付け穴の孔部に圧入することより前記複数の係合突起部をラック側板の外側に向けて撓ませつつ貫通すると共にその周壁に前記複数の係合突起部の先端を受容して当該複数の係合突起部をラック側板の外側に向けて撓んだ状態で係止する係止手段を有する係止固定部を備えてなることを特徴とする自動販売機の商品収納ラック。
【請求項２】
請求項１に記載の自動販売機の商品収納ラックにおいて、取付け穴の係合突起部は、孔部と連通する複数の切欠き部により花弁が開いた離弁花冠状に形成され、隣接する前記切欠き部により先端が中心部の孔部に向けて突出する複数の係合突起部からなることを特徴とする自動販売機の商品収納ラック。
【請求項３】
請求項１に記載の自動販売機の商品収納ラックにおいて、間隔規制部材の端部における係止手段は、係止固定部の周壁に形成された環状溝からなることを特徴とする自動販売機の商品収納ラック。
【発明の詳細な説明】
【技術分野】
【０００１】
この発明は、本体キャビネットの商品収納庫内に配設され、左右一対のラック側板に形成した取付け穴に挿通して架設される棒状の間隔規制部材により前記左右一対のラック側板の間隔を一定に保つように構成された自動販売機の商品収納ラックに関するものである。
【背景技術】
【０００２】
缶入り飲料，ペットボトル入り飲料などの商品を販売する自動販売機は断熱筐体としてなる本体キャビネットの商品収納庫内に前記商品をコールド，ホット状態に区分して保存し、外扉のディスプレイ室内に複数の商品見本を左右に並べて展示し、前記商品見本に対応して設けられた商品選択ボタンの操作に基いて選択された商品を販売するように構成されている。この種の自動販売機について図７を用いて説明する。
【０００３】
この自動販売機は、図７に示すように、前面が開口した本体キャビネット１００と、本体キャビネット１００の前面にヒンジにより開閉可能に支持された外扉１６０とを備え、前記本体キャビネット１００は鋼板製の外箱の内側に上壁，左右側壁，背壁および底壁１１０にウレタンフォームからなる断熱ボードを配設して断熱筐体として構成されている。前記本体キャビネット１００の断熱ボードで囲まれた商品収納庫内は断熱仕切板１２０により左右方向に複数の商品収納室１３０，１４０，１５０に区画されている。前記各商品収納室１３０，１４０，１５０には、この例ではサーペンタイン方式と呼ばれる蛇行した商品収納通路を有する商品収納ラック１８０がそれぞれ収設されている。前記本体キャビネット１００の前面に開閉可能に支持された外扉１６０と本体キャビネット１００における商品収納庫の前面との間には断熱製の内扉１７０が配設され、この例では内扉１７０が上下に分割されている。下部側の内扉１７０には各商品収納室１３０，１４０，１５０の商品収納ラック１８０から払い出された商品を送出するシュート１９０と対峙する位置に搬出扉１７０ａを有する商品搬出口が設けられている。前記搬出扉１７０ａは上端を軸支されて垂下するとともに自重により商品搬出口を閉塞して冷気若しくは暖気の流出を防止しており、シュート１９０を介して搬出される商品により押し開かれ、当該商品を外扉１６０の商品取出口１６０ａに送出するように形成されている。なお、前記外扉１６０の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉１６０の前面には硬貨投入口、紙幣挿入口、硬貨返却口、返却レバー、商品取出口、ハンドルロックなどが設けられている。
【０００４】
前記商品収納ラック１８０は、図８に示すように、平板状の薄板鋼板からなる左右一対のラック側板１８１，１８１、このラック側板１８１，１８１に上下方向に半ピッチずらして向かい合わせに架設した前後一対の湾曲状レールセグメント列１８２の間に画成された前後複数列（図では５列）の蛇行状の商品収納通路（商品コラム）１８３、本体キャビネット１００の前面開口に形成された商品投入口ＳＬ（図７参照）と２列目以降の商品収納通路１８３の上端入口とを連係するトップトレイ１８４、前記それぞれの商品収納通路１８３の下端出口に配設された商品搬出装置２００、この商品搬出装置２００と商品収納通路を挟んで対向配置された出口調整板２９０とからなる。前記商品収納ラック１８０は、この例では２列の商品収納通路１８３を備えた前段側の商品収納ラック１８０ａ、および３列の商品収納通路１８３を備えた後段側の商品収納ラック１８０ｂからなるものであり、各商品収納ラック１８０ａ，１０８ｂの左右一対のラック側板１８１，１８１の上端に架設されたラック側フック金具８１１，８１１を商品収納庫の天井に敷設された本体側フック金具（不図示）に係止固定される。
【０００５】
前記左右一対のラック側板１８１，１８１は、湾曲状レールセグメント列１８２，トップトレイ１８４などを架設するためにその間隔を一定に保つ必要がある。そのため、左右一対のラック側板１８１，１８１に間隔規制部材１８６（図８参照：図８では後段側の商品収納ラック１８０ｂの上部側に設けた間隔規制部材１８６が見えている）を掛け渡して設けたものが知られている（例えば、特許文献１）。
【０００６】
図９は、前記特許文献１に記載された発明の要部を示し、左右一対のラック側板１８１，１８１のうちの一方のラック側板１８１に設けた取付け穴１８５と間隔規制部材１８６の一方の端部の拡大図である。カーリングにより円筒状に形成された間隔規制部材１８６の端部近傍には、その周壁を切り欠いて形成した前後一対の係止凹部１８６ａが設けられている。ラック側板１８１の所定位置に設けた取付け穴１８５は、逆Ｖ字状にカットすることにより可撓性を有する舌片１８５ａを形成する一方、舌片１８５ａの頂部の上方域には前後に張り出す係合凸部１８５ｂが形成されている。間隔規制部材１８６は、左右一対のラック側板１８１，１８１の内側からラック側板１８１，１８１の取付け穴１８５，１８５に挿通させることにより架設される。この場合、間隔規制部材１８６の端部を舌片１８５ａに当接させて当該舌片１８５ａを外方に撓ませることにより取付け穴１８５に挿通される。そして、間隔規制部材１８６の前後一対の係止凹部１８６ａが取付け穴１８５の前後一対の係合凸部１８５ｂに上下方向に重なる位置で間隔規制部材１８６を上方にスライドさせると前後一対の係止凹部１８６ａに前後一対の係合凸部１８５ｂが嵌入すると共に外方に撓んでいた舌片１８５ａが元の状態に復元することにより間隔規制部材１８６を下支えして前記前後一対の係止凹部１８６ａと前後一対の係合凸部１８５ｂとの係合を維持する。これにより、間隔規制部材１８６が左右一対のラック側板１８１，１８１に架設される。
【先行技術文献】
【特許文献】
【０００７】
【特許文献１】特開２００４−８６８５４号公報（０１００段落〜０１０６段落、図３１〜図３３）
【発明の概要】
【発明が解決しようとする課題】
【０００８】
前記特許文献１に記載された発明は、間隔規制部材１８６の左右一対のラック側板１８１，１８１への架設作業が容易である点で優れている。しかしながら、間隔規制部材１８６は、元の状態に復元した舌片１８５ａにより下支えされた状態で左右一対のラック側板１８１，１８１へ架設されていることから、間隔規制部材１８６に下方への外力が加わると舌片１８５ａがラック側板１８１の外方若しくは内方に撓んで間隔規制部材１８６の前後一対の係止凹部１８６ａが取付け穴１８５の前後一対の係合凸部１８５ｂから抜け出して係合状態が維持できなくなるおそれがあるという課題を有する。
【０００９】
本発明は上記の点に鑑みなされたものであり、その目的は前記課題を解決し、間隔規制部材のラック側板への架設作業を容易にしつつその架設状態を安定して維持することが可能な自動販売機の商品収納ラックを提供することにある。
【課題を解決するための手段】
【００１０】
上記目的を達成するために請求項１に係る発明は、本体キャビネットの商品収納庫内に配設され、左右一対のラック側板に形成した取付け穴に挿通して架設される棒状の間隔規制部材により前記左右一対のラック側板の間隔を一定に保つように構成された自動販売機の商品収納ラックにおいて、前記左右一対のラック側板の取付け穴は、開口して形成された孔部および当該孔部の中心に向けて突出する係合突起部を備えてなり、前記間隔規制部材の端部には、前記ラック側板の内側から取付け穴の孔部に圧入することより前記複数の係合突起部をラック側板の外側に向けて撓ませつつ貫通すると共にその周壁に前記複数の係合突起部の先端を受容して当該複数の係合突起部をラック側板の外側に向けて撓んだ状態で係止する係止手段を有する係止固定部を備えてなることを特徴とする。
【００１１】
また、請求項２に係る発明は、請求項１に記載の自動販売機の商品収納ラックにおいて、取付け穴の係合突起部は、孔部と連通する複数の切欠き部により花弁が開いた離弁花冠状に形成され、隣接する前記切欠き部により先端が中心部の孔部に向けて突出する複数の係合突起部からなることを特徴とする。
【００１２】
また、請求項３に係る発明は、請求項１に記載の自動販売機の商品収納ラックにおいて、間隔規制部材の端部における係止手段は、係止固定部の周壁に形成された環状溝からなることを特徴とする。
【発明の効果】
【００１３】
本発明の請求項１に係る発明によれば、本体キャビネットの商品収納庫内に配設され、左右一対のラック側板に形成した取付け穴に挿通して架設される棒状の間隔規制部材により前記左右一対のラック側板の間隔を一定に保つように構成された自動販売機の商品収納ラックにおいて、前記左右一対のラック側板の取付け穴は、開口して形成された孔部および当該孔部の中心に向けて突出する係合突起部を備えてなり、前記間隔規制部材の端部には、前記ラック側板の内側から取付け穴の孔部に圧入することより前記複数の係合突起部をラック側板の外側に向けて撓ませつつ貫通すると共にその周壁に前記複数の係合突起部の先端を受容して当該複数の係合突起部をラック側板の外側に向けて撓んだ状態で係止する係止手段を有する係止固定部を備えてなることにより、間隔規制部材の係止固定部を前記ラック側板の内側から取付け穴の孔部に圧入したうえでラック側板の外側に向けて撓んだ状態の係合突起部を係止手段に係止させる態様で貫通させるのみで間隔規制部材を架設することが可能となるので、間隔規制部材のラック側板への架設作業を容易にしつつその架設状態を安定して維持することができるという効果を奏するものである。
【００１４】
また、本発明の請求項２に係る発明によれば、請求項１に記載の自動販売機の商品収納ラックにおいて、取付け穴の係合突起部は、孔部と連通する花弁が開いた離弁花冠状に穿設された複数の切欠き部により形成され、隣接する前記切欠き部により先端が中心部の孔部に向けて突出する複数の係合突起部からなることにより、間隔規制部材のラック側板への架設作業を容易にしつつ一つの係合突起部が劣化した場合にも他の係合突起部により間隔規制部材の架設状態を安定して維持することができるという効果を奏するものである。
【００１５】
また、本発明の請求項３に係る発明によれば、請求項１に記載の自動販売機の商品収納ラックにおいて、間隔規制部材の端部における係止手段は、係止固定部の周壁に形成された環状溝からなることにより、ラック側板の外側に向けて撓んだ状態の複数の係合突起部の先端を受容して係止する係止手段が複数の係合突起部と一対一で対峙する態様で形成されている場合のように位置決めを行う必要がないので、間隔規制部材のラック側板への架設作業を容易に行うことができる。
【図面の簡単な説明】
【００１６】
【図１】本発明の実施の形態に係る自動販売機の商品ラックに係る間隔規制部材の斜視図である。
【図２】本発明の実施の形態に係る自動販売機の商品ラックに係る一方のラック側板に設けた取付け穴の拡大図である。
【図３】本発明の実施の形態に係る自動販売機の商品ラックに係る一方のラック側板に設けた取付け穴と間隔規制部材の一方の端部の拡大図である。
【図４】間隔規制部材を取付け穴に架設する際の治具の一例を取付け穴と共に示す拡大図である。
【図５】間隔規制部材を取付け穴に架設した状態の断面図である。
【図６】取付け穴の変形例を示す拡大図である。
【図７】本発明の対象となる自動販売機の外扉開放状態の斜視図である。
【図８】図７の自動販売機における商品収納ラックの斜視図である。
【図９】従来の商品収納ラックにおける要部の斜視図である。
【発明を実施するための形態】
【００１７】
以下、本発明の実施の形態の自動販売機の商品収納ラックを添付図面に基づいて詳細に説明する。なお、自動販売機の全体構成および商品収納ラックの構成は、図７および図８に示したものと同一であるので、重複する説明は省略し、適宜図７および図８を参照して説明する。
【００１８】
図１は、本発明に係る間隔規制部材１の斜視図を示す。前記間隔規制部材１は、本体ピース部１１とこの本体ピース部１１の両端から外方に突出する係止固定部１２からなる。間隔規制部材１の本体ピース部１１は、間隔規制部材１を左右一対のラック側板２，２（図２参照：図２では一方のラック側板２を示しているが、この一方のラック側板２に対向して他方のラック側板２が配されている）に架設した状態で左右一対のラック側板２，２の間に位置するものである。係止固定部１２，１２は、間隔規制部材１を左右一対のラック側板２，２に架設した状態で左右一対のラック側板２，２から外方に突出するものであり、その径Ｒ２は前記本体ピース部１１の径Ｒ３よりも小径になる。前記係止固定部１２の周壁には、図２に示したラック側板２の取付け穴２１における複数の係合突起部２４を受容して係止固定する環状溝１３が形成されている。前記間隔規制部材１は、この実施の形態では、素材となる矩形状の鋼板を上金型と下金型を用いてプレス加工により短冊状の鋼板の長辺側の両端を突き合わせる態様でカーリングすることにより中空の円筒体として形成されている。
【００１９】
図２は、本発明に係る左右一対のラック側板２，２に穿孔された取付け穴２１の拡大図である。取付け穴２１は、開口として形成された中心部の孔部２２と、この孔部２２に連通する花弁が開いた離弁花冠状に穿設された複数の切欠き部２３とにより形成され、隣接する前記切欠き部２３，２３により先端が孔部２２の中心部に向けて突出する態様の係合突起部２４とからなる。これらの係合突起部２４の先端は凹状の弧として形成されている。この実施の形態では、切欠き部２３が十文字状に４個設けられ、これに対応して係合突起部２４も４個形成されている。
【００２０】
ここで、取付け穴２１の孔部２２の径をＲ０とすると、間隔規制部材１における係止固定部１２に形成した環状溝１３の径Ｒ１は、Ｒ１＞Ｒ０に定められている。なお、係止固定部１２の径Ｒ２は、Ｒ２＞Ｒ１＞Ｒ０に定められ、本体ピース部１１の径Ｒ３は、Ｒ３＞Ｒ２＞Ｒ１＞Ｒ０に定められている。
【００２１】
次に、間隔規制部材１の左右一対のラック側板２，２への架設方法について図３を用いて説明する。なお、図３では、正面視右側に位置する一方のラック側板２に間隔規制部材１の右端を架設する状態を示している。
【００２２】
間隔規制部材１をラック側板２の内側に配置したうえで間隔規制部材１の係止固定部１２の先端をラック側板２の取付け穴２１に対峙させる。この場合、ラック側板２の外側には、図４に示すような円筒形の治具３が配置されている。治具３の内径は取付け穴２１における複数の切欠き部２３を跨ぐ態様で係止固定部１２の径Ｒ２よりも大きく定められている。かかる状態で、ラック側板２の内側から係止固定部１２の先端を取付け穴２１における孔部２２に圧入すると、取付け穴２１における複数の係合突起部２４が、治具３との当接部を基端としてその先端側が外方に撓むので、係止固定部１２の孔部２２への圧入が許容される。引き続く係止固定部１２の取付け穴２１における孔部２２への圧入により係止固定部１２が取付け穴２１を貫通してラック側板２の外側に突出する。この場合、外側に撓んだ複数の係合突起部２４における先端側は係止固定部１２の周壁に当接して摺動する。そして、複数の係合突起部２４における先端の部位に係止固定部１２の環状溝１３が到達すると複数の係合突起部２４の復元力により係合突起部２４における先端が前記環状溝１３内に落ち込む。
【００２３】
ここで、係止固定部１２の環状溝１３の径Ｒ１は取付け穴２１の孔部２２の径をＲ０よりも大きく形成されていることから、係止固定部１２の環状溝１３内に落ち込んだ複数の係合突起部２４は外側に撓んだ状態に維持される（図５参照）。このように、係止固定部１２の環状溝１３内に落ち込んだ複数の係合突起部２４は外側に撓んでいることにより間隔規制部材１の内側への抜け止めとなる。つまり、外側に撓んだ複数の係合突起部２４が仕え棒として機能する。なお、間隔規制部材１の本体ピース部１１の径Ｒ３は、治具３の外径より大きく定められており、間隔規制部材１の本体ピース部１１がラック側板２の取付け穴２１を貫通してラック側板２の外側に突出することはない。また、治具３の外側の領域に位置する複数の切欠き部２３は、複数の係合突起部２４が撓んだ際の応力を逃がしてラック側板２に亀裂が生じるのを防ぐ機能を有する。
【００２４】
前記間隔規制部材１の左端側の他方（正面視左側）のラック側板２への架設も前述した架設方法と同様に行うことができる。このように、間隔規制部材１の左右一対のラック側板２，２への架設は、間隔規制部材１の係止固定部１２をラック側板２の取付け穴２１に圧入するのみで行うことができるので作業性が良いうえに係止固定部１２の環状溝１３内に落ち込んだ複数の係合突起部２４が間隔規制部材１の内側への抜け止めを果たすことからその架設状態も安定して維持されるものである。
【００２５】
なお、前述した実施の形態では、治具３を用いて複数の係合突起部２４の撓みを補助するものについて説明したが、図６に示すように、複数の係合突起部２４の撓みの基端となる部位に複数の切欠き（三角穴）４を穿孔することもできるものであり、治具３を用いたものに限られるものではない。
【００２６】
ここで、前記実施の形態では、取付け穴２１における孔部２２に連通する花弁が開いた離弁花冠状に穿設された切欠き部２３が十文字状に４個設けられ、これに対応して係合突起部２４も４個形成されたものについて説明したが、切欠き部２３および係合突起部２４の数は適宜変更することができる。特に、取付け穴２１における孔部２２の中心に向けて突出する係合突起部２４は、間隔規制部材１における係止固定部１２の通過を許容する態様でラック側板２，２の外側に向けて撓み、ラック側板２，２の外側に向けて撓んだ状態で間隔規制部材１の環状溝１３に係止されるものであればよいものであり、本発明の要旨を逸脱しない範囲で適宜変更できるものである。
【００２７】
また、間隔規制部材１については、図８に示した湾曲状レールセグメント列１８２，トップトレイ１８４，商品搬出装置２００などを保持するピン部材に適用することもできるものである。
【００２８】
前述したように、本体キャビネット１００の商品収納庫内に配設され、左右一対のラック側板２，２に形成した取付け穴２１に挿通して架設される棒状の間隔規制部材１により前記左右一対のラック側板２，２の間隔を一定に保つように構成された自動販売機の商品収納ラックにおいて、前記左右一対のラック側板２，２の取付け穴２１は、開口して形成された孔部２２および当該孔部２２の中心に向けて突出する係合突起部２４を備えてなり、前記間隔規制部材１の端部には、前記ラック側板２，２の内側から取付け穴２１の孔部２２に圧入することより前記係合突起部２４をラック側板２，２の外側に向けて撓ませつつ貫通すると共にその周壁に前記係合突起部２４の先端を受容して当該係合突起部２４をラック側板２，２の外側に向けて撓んだ状態で係止する係止手段（環状溝１３）を有する係止固定部１２を備えてなることにより、間隔規制部材１の係止固定部１２を前記ラック側板２，２の内側から取付け穴２１の孔部２２に圧入したうえでラック側板２，２の外側に向けて撓んだ状態の係合突起部２４を係止手段（環状溝１３）に係止させる態様で貫通させるのみで間隔規制部材１を架設することが可能となるので、間隔規制部材１のラック側板２，２への架設作業を容易にしつつその架設状態を安定して維持することができるという効果を奏するものである。
【００２９】
なお、上述した実施の形態の自動販売機の商品収納ラックとしてサーペンタイン方式と呼ばれる蛇行した商品収納通路を有するものについて説明したが、複数の商品を横倒し姿勢で前後方向に一列に整列して収納する商品収納通路を左右方向に複数画成してなる商品収納棚が上下方向に多段に配設されたスラントラックと称する商品収納ラックにも適用できるものである。また、間隔規制部材１は中空の円筒体として形成したものに限らず、中実のものでもよいものである。また、間隔規制部材１が左右のラック側板２，２の外側方向への移動を規制するものでよい場合（例えば、スラントラックにおいて左右のラック側板２，２の内側への移動が商品収納棚により規制されるような場合）には、間隔規制部材１の一方の端部を径外方向に膨出するヘッダーとして形成したものとすることもできる。したがって、本発明は実施の形態に限定されるものではない。
【符号の説明】
【００３０】
１…間隔規制部材、２…ラック側板、１１…本体ピース部、１２…係止固定部、１３…環状溝（係止手段）、２１…取付け穴、２２…孔部、２３…切欠き部、２４…係合突起部、１００…本体キャビネット、１８０…商品収納ラック。
【図１】
2018142257.tif 000003
【図２】
2018142257.tif 000004
【図３】
2018142257.tif 000005
【図４】
2018142257.tif 000006
【図５】
2018142257.tif 000007
【図６】
2018142257.tif 000008
【図７】
2018142257.tif 000009
【図８】
2018142257.tif 000010
【図９】
2018142257.tif 000011